(57)【要約】【課題】電気機器の据付所定敷地を施工させる際に使用されるレベル調整機構を備えた埋込ベースを提供することにある。【解決手段】断面がＨ字状の長尺鋼材からなり、長尺鋼材に対照形成されている２つの張り出し部の一方の張り出し部１１ａ，１１ｂの長手方向に沿って２つネジ穴１１ａ１，１１ａ２及び１１ｂ１，１１ｂ２がそれぞれ設けられた埋込ベース本体１１と、ネジ穴に頭を下に向けて２つの頭付ボルト１２ａ１，１２ａ２及び１２ｂ１，１２ｂ２を螺合させたレベル調整機構１２とを設ける。【選択図】図１
2007273770.tif 000002
【特許請求の範囲】
【請求項１】
変圧器、リアクトル、ガス絶縁開閉器等の電気機器の据付所定敷地に施工されるコンクリート体に埋設される埋込ベースであって、
断面がＨ字状の長尺鋼材からなり、前記長尺鋼材に対照形成されている２つの張り出し部の一方の長手方向に沿って２つネジ穴がそれぞれ設けられた埋込ベース本体と、
前記ネジ穴に頭を下に向けて頭付ボルトを螺合させたレベル調整機構とを設けた埋込ベース。
【請求項２】
請求項１に記載の埋込ベースの据付方法であって、
離隔配置された対からなる固定金具の複数をそれぞれ立てた状態で直線上に平行配置されるように、前記電気機器の据付所定敷地に差し込む工程と、
前記固定金具が完全に埋没されないように、生コンクリートを前記据付所定敷地に流し込み、第１のコンクリート体を形成する工程と、
前記埋込ベースを前記離隔配置された対からなる固定金具間に配置し、前記埋込ベースのレベル調整を行う工程と、
前記埋込ベース本体に対照形成されている２つの張り出し部の一方の張り出し部により形成される張り出し共有面に複数の支持金具をそれぞれ沿わせた状態で、前記固定金具にそれぞれ溶接して取り付けた後、前記支持金具を埋込ベース本体にそれぞれ溶接して取り付ける工程と、
前記埋込ベース本体に対照形成されている２つの張り出し部の他方の張り出し部により形成される張り出し共有面が露出した状態となると共に、前記埋込ベースが固定されるように、生コンクリートを第１のコンクリート体上に流し込み、第２のコンクリート体を形成する工程とを備えた埋込ベースの据付方法。
【発明の詳細な説明】
【技術分野】
【０００１】
本発明は、変圧器、リアクトル、ガス絶縁開閉器等の電気機器の据付所定敷地に施工されるコンクリート体に埋設される埋込ベース及びその据付方法に関するものである。
【背景技術】
【０００２】
例えば変電所には、変圧器、リアクトル、ガス絶縁開閉器等の電気機器が据え付けらており、これらを据え付ける際には、精度の高い位置決め及びレベル出しが必要となる。また、これらの電気機器は大型で、かつ、重量物であるので、据え付け場所の堅牢性が要求される。そこで、電気機器の据付所定敷地は、例えば特許文献１に示されるように、金属製よりなる長尺の埋込ベースを埋設させ、その上面を露出させ状態でコンクリート体が形成されており、この埋込ベースに上記電気機器が据え付けらている。
【０００３】
特許文献１に示されている埋込ベースを電気機器の据付所定敷地に据え付ける場合、従来では、図３（Ａ）に示すように、例えば棒状の２つの部材を離隔配置させた対からなる固定金具、例えば２つの固定金具２ａ，２ｂを立てた状態で直線上に平行配置されるように、電気機器の据付所定敷地に差し込む。据付所定敷地は通常、掘削されている。また、埋込ベース１′は、２つ以上使用され、平行に配置される。
【０００４】
固定金具が差し込まれた後、また図３（Ａ）に示すように、基礎用としての第１のコンクリート体３を形成するために、固定金具２ａ，２ｂが完全に埋没されないように、生コンクリートを据付所定敷地Ｔに流し込む。
【０００５】
生コンクリートが固化した後、図３（Ｂ）に示すように、埋込ベース本体１１′を、固定金具２１，２１間、固定金具２２，２２間の第１のコンクリート体３面の所定箇所に配置されている４つのジャッキ３１ａ１′，３１ａ２′，３１ｂ１′，３１ｂ２′に載置させる。その後、  埋込ベース本体１１′に対照形成されている２つの張り出し部の他方（上側）の張り出し部により形成される張り出し共有面１１′ｕに水準器を載置し、この面水平レベルに調整されるように、４つジャッキの作動部を適宜に上下させて、埋込ベース１′のレベル調整を行う。
【０００６】
レベル調整が行われた後、図３（Ｃ）に示すように、埋込ベース本体１１′に対照形成されている２つの張り出し部の一方（下側）の張り出し部により形成される張り出し共有面１１′ｄに、例えばＬ型アングルからなる２つの支持金具４１，４２をそれぞれ沿わせた状態で、固定金具２１，２２にそれぞれ溶接して取り付けた後、２つの支持金具４１，４２を埋込ベース本体１１′にそれぞれ溶接して取り付ける。
【０００７】
４つジャッキを取り除いた後、図３（Ｄ）に示すように、第２のコンクリート体５により埋込ベース１′を固定させるために、埋込ベース本体１１′の張り出し共有面１１′ｕが露出した状態となるように、生コンクリートを第１のコンクリート体３に流し込む。
【特許文献１】実公平７−１７７５号公報
【発明の開示】
【発明が解決しようとする課題】
【０００８】
ところで、ジャッキを埋込ベースの長さに対応させて設置箇所を特定させる作業、ジャッキを準備する等のレベル調整前作業が必要になるという問題があり、また、レベル調整作業が繁雑であるという問題がある。
【０００９】
本発明の目的は、電気機器の据付所定敷地を施工させる際に使用されるレベル調整機構を備えた埋込ベースを提供することにある。
【課題を解決するための手段】
【００１０】
第１の発明は、変圧器、リアクトル、ガス絶縁開閉器等の電気機器の据付所定敷地に施工されるコンクリート体に埋設される埋込ベースを対象とし、断面がＨ字状の長尺鋼材からなり、長尺鋼材に対照形成されている２つの張り出し部の一方の長手方向に沿って２つネジ穴がそれぞれ設けられた埋込ベース本体と、ネジ穴に頭を下に向けて頭付ボルトを螺合させたレベル調整機構とを設けたものである。
【００１１】
第２の発明は、第１の発明の埋込ベースの据付方法を対象とし、離隔配置された対からなる固定金具の複数をそれぞれ立てた状態で直線上に平行配置されるように、電気機器の据付所定敷地に差し込む工程と、固定金具が完全に埋没されないように、生コンクリートを据付所定敷地に流し込み、第１のコンクリート体を形成する工程と、埋込ベースを離隔配置された対からなる固定金具間に配置し、埋込ベースのレベル調整を行う工程と、埋込ベース本体に対照形成されている２つの張り出し部の一方の張り出し部により形成される張り出し共有面に複数の支持金具をそれぞれ沿わせた状態で、固定金具にそれぞれ溶接して取り付けた後、支持金具を埋込ベース本体にそれぞれ溶接して取り付ける工程と、埋込ベース本体に対照形成されている２つの張り出し部の他方の張り出し部により形成される張り出し共有面が露出した状態となると共に、埋込ベースが固定されるように、生コンクリートを第１のコンクリート体上に流し込み、第２のコンクリート体を形成する工程とを備えたものである。
【発明の効果】
【００１２】
以上のように、第１の発明によれば、埋込ベース本体にレベル調整機構が一体化されると共に、レベル調整機構に螺合構成を採用しているので、レベル調整前作業をなくすことができ、また、レベル調整作業を簡素化させることができる。
【００１３】
以上のように、第２の発明によれば、埋込ベース本体にレベル調整機構が一体化されると共に、レベル調整機構に螺合構成を採用した埋込ベースを使用するので、レベル調整前作業をすることなく、また、レベル調整作業を煩雑化させることなく、電気機器の据付所定敷地に埋込ベースを埋設させたコンクリート体を施工させることができる。
【発明を実施するための最良の形態】
【００１４】
図１（Ａ）は本発明に係る埋込ベースの一実施形態を示す正面図、（Ｂ）はその一実施形態を示す右側面図である。図２は本発明に係る埋込ベースの据付方法の一実施形態を示す工程図である。
【００１５】
図示するように、埋込ベース１は埋込ベース本体１１とレベル調整機構１２とからなっている。埋込ベース本体１１は断面がＨ字状の長尺鋼材、いわゆるＨ形鋼からなっており、対照形成されている２つの張り出し部の一方（下側）の第１及び第２の張り出し部１１ａ，１１ｂの長手方向に沿って２つのネジ穴１１ａ１，１１ａ２及び２つのネジ穴１１ｂ１，１１ｂ２がそれぞれ設けられている。
【００１６】
レベル調整機構１２は、２つのネジ穴１１ａ１，１１ａ２及び２つのネジ穴１１ｂ１，１１ｂ２と、２つの頭付ボルト１２ａ１，１２ａ２及び２つの頭付ボルト１２ｂ１，１２ｂ２とからなっている。このレベル調整機構１２は、上記ネジ穴に頭を下に向けて頭付ボルトを螺合させた状態で、上記の電気機器が据え付けられる所定面に頭付ボルトの頭を当接させることにより機能し、埋込ベース本体１１に対照形成されている２つの張り出し部の他方（上側）の張り出し部により形成される張り出し共有面１１ｕ、すなわち電気機器が据え付けられる面が水平レベルに調整される。
【００１７】
このような構成において、埋込ベース１を据え付ける場合、図２（Ａ）に示すように、例えば棒状の２つの部材が離隔配置された対からなる２つの固定金具２１，２２を立てた状態で直線上に平行配置されるように、掘削された電気機器の据付所定敷地Ｔに差し込む。
【００１８】
固定金具が差し込まれた後、また図２（Ａ）に示すように、基礎用としての第１のコンクリート体３を形成するために、固定金具２１，２２が完全に埋没されないように、生コンクリートを据付所定敷地に流し込む。
【００１９】
生コンクリートが固化した後、図２（Ｂ）に示すように、レベル調整機構１２が取り付けられた埋込ベース本体１１からなる埋込ベース１を、頭付ボルト１２ａ１，１２ａ２及び１２ｂ１，１２ｂ２の頭が下に向いた状態で、固定金具２１，２１間、固定金具２２，２２間の第１のコンクリート体３面に配置させて置く。その後、埋込ベース本体１１に対照形成されている２つの張り出し部の他方（上側）の張り出し部により形成される張り出し共有面１１ｕに水準器を載置し、この面が水平レベルに調整されると共に、埋込ベース本体１１に対照形成されている２つの張り出し部の一方（下側）の張り出し部１１ａ，１１ｂにより形成される張り出し共有面１１ｄと第１のコンクリート体３面との間に所定間隔が形成されるように、４つの頭付ボルト１２ａ１，１２ａ２及び１２ｂ１，１２ｂ２を適宜に回転させて、埋込ベース本体１１のレベル調整を行う。
【００２０】
レベル調整が行われた後、図２（Ｃ）に示すように、埋込ベース本体１１に形成される張り出し共有面１１ｄに、例えばＬ型アングルからなる２つの支持金具４１，４２をそれぞれ沿わせた状態で、固定金具２１，２２にそれぞれ溶接して取り付けた後、支持金具４１，４２を埋込ベース本体１１にそれぞれ溶接して取り付ける。
【００２１】
支持金具が取り付けられた後、図２（Ｄ）に示すように、第２のコンクリート体５により埋込ベース１を固定させるために、埋込ベース本体１１に形成される張り出し共有面１１ｕが露出した状態となるように、生コンクリートを第１のコンクリート体３に流し込む。
【図面の簡単な説明】
【００２２】
【図１】（Ａ）は本発明に係る埋込ベースの一実施形態を示す正面図、（Ｂ）はその一実施形態を示す右側面図である。
【図２】本発明に係る埋込ベースの据付方法の一実施形態を示す工程図である。
【図３】本発明に係る車輪取付ベースの第２の実施形態を示す概略構成底面図である。
【符号の説明】
【００２３】
１１  埋込ベース本体
１２  レベル調整機構
１１ａ，１１ｂ  張り出し部
１１ａ１，１１ａ２，１１ｂ１，１１ｂ２  ネジ穴
１２ａ１，１２ａ２，１２ｂ１，１２ｂ２  頭付ボルト
【図１】
2007273770.tif 000003
【図２】
2007273770.tif 000004
【図３】
2007273770.tif 000005